(57)【要約】【課題】便器の後方温水タンクの耐久性を確保すること。【解決手段】便器１２の後方上面１２Ａに固定された静止プレートに対し、ノズル６２・６４から温水を噴射する洗浄機構を収容するケース１４を、前記便器１２の前方に変移可能に、上下方向に凹凸嵌合せしめた。【選択図】      図５
2004251012.tif 000002
【特許請求の範囲】
【請求項１】
便器の後方上面に固定された静止プレートに対し、ノズルから温水を噴射する洗浄機構を収容するケースを、前記ケースを前記便器の前方に変移可能に、上下方向に凹凸嵌合せしめた温水洗浄便座装置。
【請求項２】
便器の後方上面に固定された静止プレートに対し、ノズルから温水を噴射する洗浄機構を収容するケースを、係脱自在に連結せしめた温水洗浄便座装置。
【発明の詳細な説明】
【０００１】
【発明の属する技術分野】
本発明は、温水洗浄便座装置に関する。
【０００２】
【従来の技術】
周知のように、従来の温水洗浄便座装置は、便器の後部上側に固定され且つ便器幅方向に延在するケース内に、電磁弁と、ヒータにより加熱された温水が定温にて貯溜される温水タンクと、ノズルとを備え、前記電磁弁を介して前記温水タンク内に水圧が供給されると、前記温水タンクから押し出された温水が前記便器内に変移した前記ノズルから噴射されるようになっている。
【０００３】
かような温水洗浄便座装置においては、便器の後部上側とケースの底部の間には、不可避的に隙間が形成されるので、この隙間に尿や埃が侵入することが往々にしてあり、便器を常に清潔にしておくため、便器の後部上側を開放して、この尿や埃が払拭されるようになっている。しかして、便器の後部上側を開放するために、ケースは、ヒンジ機構を介して、便器に対して傾くように装着されている（例えば、特許文献１参照）。
【０００４】
【特許文献１】
特開平１０−２３９９５号公報  （第１〜３頁、図３）
【０００５】
【発明が解決しようとする課題】
ところが、上記した従来の温水洗浄便座装置においては、ケースは、ヒンジ機構を介して、便器に対して傾くように装着されているので、ケースが便器に対して傾けられたとき、ヒンジ機構には相当の重量が作用し、ヒンジ機構の主要部材たるヒンジピンが樹脂で形成された場合、折損の危惧がある。
【０００６】
また、ケース内には、通常、温水タンクが収容されているので、ケースを傾けたとき、温水タンクも傾けられることになり、温水の漏洩が危惧される。かような危惧を解消するためには、上記払拭の前に、温水タンクから水抜きをせねばならず、煩に耐え得ない。
【０００７】
それゆえ、本発明は、かような不具合のない温水洗浄便座装置を提供することを、その技術的課題とする。
【０００８】
【課題を解決するための手段】
上記した課題を解決するために講じた技術的手段は、便器の後方上面に固定された静止プレートに対し、ノズルから温水を噴射する洗浄機構を収容するケースを、前記ケースを前記便器の前方に変移可能に、上下方向に凹凸嵌合せしめた温水洗浄便座装置を構成したことである。
【０００９】
【発明の実施の形態】
図１〜図７に依拠して、本発明にかかる温水洗浄便座装置の一実施形態について説明する。
【００１０】
温水洗浄便座装置１０は、便器１２の後部上面１２Ａに、スライド機構１００（図３〜図７：後で詳細に説明する）を介して、装着される本体部１４Ａ及び本体部１４Ａの一端部から前方に延在する袖部１４Ｂからなるケース１４を備える。ケース１４の袖部１４Ｂ内には、第１制御機構２０が配設されており、また、ケース１４の本体部１４Ａ内には、第２制御機構３０、電磁弁４０、ヒータ５２により加熱された温水を貯溜する温水タンク５０及びノズル機構６０が配設されている。
【００１１】
ケース１４の本体部１４Ａの内部の一方側に配置される電磁弁４０は、ホース７２を介して給水源７０と、ホース４４を介して温水タンク５０と、夫々、連結されており、第１制御機構２０の作用により、電磁弁４０が開かれると、温水タンク５０内の温水を、切換弁６６を介して肛門洗浄用ノズル６２（ビデ洗浄ノズル６４）に供給され、肛門洗浄用ノズル６２（ビデ洗浄ノズル６４）を便器１２内に伸長し、この温水が、周知のように、肛門洗浄用ノズル６２（ビデ洗浄ノズル６４）から噴射されて、使用者の肛門（ビデ）を洗浄する。何れのノズルに温水が供給されるかは、切換弁６６の作用位置による。
【００１２】
温水タンク５０は、ケース１４の本体部１４Ａの内部の他方側に配置される。温水タンク５０内の水はヒータ５２により加熱される。水温は、温度センサ５４により常時、検知されており、当該温度が信号として、第２制御機構３０のＣＰＵ３２に送られる。ＣＰＵ３２は水温が所定値に達したら、トライアック３４を断続させて電源９０からヒータ５２への通電制御をなし、常時、水温を所定値に維持するようになっている。
【００１３】
上記したように、温水タンク５０は、ホース４４、電磁弁４０、ホース７２及び分岐弁７４を介して給水源７０に流体的に連結されている。また、ロータンク７６には、分岐弁７８を介して給水源７０に連結されている。尚、便座９２及び便蓋９４が、ケース１４の本体部１４Ａの端部に枢着されており、便座９２の内部に埋設されたヒータ（図示略）への通電により、便座９２の表面温度が、所望の値に設定・制御されるようになっている。
【００１４】
前述したように、ケース１４の本体部１４Ａは、スライド機構１００を介して便器１２の後部上面１２Ａに装着されており、図１に示す状態においてケース１４を前方に（図面上、手前側）にスライドさせることにより、ケース１４、便座９２及び便蓋９４を一体的に前方移動させて、図５に示すように、便器１２の後部上面１２Ａを開放させることが出来る。これにより、便器１２の後部上面１２Ａを払拭して、清掃を容易に行えるようになっている。
【００１５】
図３、図４、図６及び図７に依拠して、スライド機構１００を詳細に説明する。ケース１４の底面１４Ｈには、便器横方向（便器幅方向）に延在するゴム部材１０２が装着されており、このゴム部材１０２の先端面が便器１２の後部上面１２Ａに弾着することにより、便器１２の内部側から、ケース１４の底面１４Ｈと便器１２の後部上面１２Ａとの間に不可避的に形成される隙間Ｇへの尿・埃の進入を出来る限り防止している。ケース１４の底面１４Ｈには、後方が開放された凹部１４Ｒが形成されており、この凹部１４Ｒには、便器１２の後部上面１２Ａに固定された静止プレート１１０が、図示されない手段（具体的にはボルト・ナット）が、受容されている。しかして、静止プレート１１０には一対の穴１１２が形成されており、ケース１４の底面１４Ｈに突設された一対の突起部１４Ｐが、一対の穴１１２に上側から嵌着されている。静止プレート１１０の穴１１２の便器前方側（図３では上方向・図４では左方向）の内壁は上方に拡開しており、また、ケース１４の底面１４Ｈに突起部１４Ｐの便器前方側（図３では上方向・図４では左方向）の外壁は、便器後方に向けて傾斜している。つまり、この凹凸嵌合を便器前方向にテーパー・ツー・テーパーの態様となっている。従って、ケース１４を便器の前方へ移動させるべく、ケース１４を引き出したとき、図７に明瞭に示される、静止プレート１１０の穴１１２とケース１４の底面１４Ｈの突起部１４Ｐとの凹凸嵌合を容易に解除できる。
【００１６】
かくして、ケース１４の底部１４Ｈと静止プレート１１０とを、ケース１４の便器１２の前方に移動可能に上下方向に凹凸嵌合したので、ケース１４を傾けることなく、便器１２の後部上面１２Ａを開放して、この部位を容易に清掃することが出来る。また、ケース１４の底部１４Ｈと静止プレート１１０とを、ケース１４の底部１４Ｈの便器１２の前方に移動可能に上下方向に凹凸嵌合する際に、この凹凸嵌合をテーパー・ツー・テーパーの態様とすれば、ケース１４の便器１２の前方への移動を円滑に行うことが出来る。
【００１７】
尚、図８及び図１９に模式的に示すように、レバー１２０の先端部１２０Ａを静止プレート１１０の穴１１０Ｈからケース１４の底部１４Ｈのボス部１４Ｃ内に延在している。ボス部１４Ｃは、便器前後方向（図８では上下方向・図９では左右方向）に相対して位置する一対の壁１４ＣＷから構成される。この状態では、レバー１２０の先端部１２０Ａが一対の壁１４ＣＷの間に位置し、ケース１４の底部１４Ｈが、静止プレート１１０から離れて便器前方に移動するのを阻止するようになっている。しかし、レバーを図８の状態から右方向に移動させ、レバー１２０の先端部１２０Ａを、一対の壁１４ＣＷの間からオフセットさせれば、ケース１４の底部１４Ｈが、静止プレート１１０から離れて便器前方に移動することが可能となる。
【００１８】
以上、本発明の実施の形態について説明したが、本発明は上述した実施の形態に限定される意図はなく、本発明の趣旨に沿った形態の温水洗浄便座装置であれば、どのようなものでもよい。
【００１９】
【発明の効果】
請求項１の発明によれば、便器の後方上面に固定された静止プレートに対し、ノズルから温水を噴射する洗浄機構を収容するケースを、便器の前方に変移可能に、上下方向に凹凸嵌合せしめたので、次のような、実用上多大な効果を奏する。
【００２０】
（１）ケースと静止プレートとを、ケースの便器の前方に移動可能に上下方向に凹凸嵌合したので、ケースを傾けることなく、便器の後部上面を開放して、この部位を容易に清掃することが出来る。
【００２１】
（２）ケースと静止プレートとを、ケースの便器の前方に移動可能に上下方向に凹凸嵌合する際に、この凹凸嵌合を便器前方向にテーパー・ツー・テーパーの態様とすれば、ケースの便器の前方への移動を円滑に行うことが出来る
請求項２の発明によれば、便器の後方上面に固定された静止プレートに対し、ノズルから温水を噴射する洗浄機構を収容するケースを、係脱自在に連結せしめたので、ケースを傾けることなく、便器の後部上面を開放して、この部位を容易に清掃することが出来る。
【図面の簡単な説明】
【図１】本発明にかかる温水洗浄便座装置の一実施態様の説明用の見た斜視図である。
【図２】図１の温水洗浄便座装置のブロック図である。
【図３】図１の温水洗浄便座装置において、便座を枢支するケースが便器後方上部に位置しているときの、ケースの底部と静止プレートとの関係を示す平面図である。
【図４】図３のＡ−Ａ線に沿う、拡大断面図である。
【図５】図１の温水洗浄便座装置において、ケースが便座・便蓋と共に前方に引き出されたときの状態を示す斜視図である。
【図６】図５の温水洗浄便座装置において、便座を枢支するケースが便器後方上部に位置しているときの、ケースの底部と静止プレートとの関係を示す平面図である。
【図７】図５のＢ−Ｂ線に沿う、拡大断面図である。
【図８】図１の温水洗浄便座装置において、便座を枢支するケースが便器後方上部に位置しているときの、ケースの底部と静止プレートとの他の関係を示す平面図である。
【図９】図８のＣ−Ｃ線に沿う、拡大断面図である。
【符号の説明】
１２・・・便器
１４・・・ケース
４０・・・電磁弁
４２・・・給水部
４４・・・ホース
５０・・・温水タンク
５２・・・ヒータ
６２・・・ノズル
６４・・・ノズル
１００・・ドレインポート（ドレイン部）
１１０・・ドレイン管（ドレイン部）
４１０・・ボディ
４１２・・通路
【図１】
2004251012.tif 000003
【図２】
2004251012.tif 000004
【図３】
2004251012.tif 000005
【図４】
2004251012.tif 000006
【図５】
2004251012.tif 000007
【図６】
2004251012.tif 000008
【図７】
2004251012.tif 000009
【図８】
2004251012.tif 000010
【図９】
2004251012.tif 000011